(57)【特許請求の範囲】
【請求項１】
雨傘本体の防水張り布表面に、雨滴の直径以下のメッシュ間隔を有する合成繊維から成る透水性メッシュ地カバーを覆設した
ことを特徴とする低騒音雨傘。
【請求項２】
前記メッシュ地カバーの素材に、水分率の低い速乾性合成繊維を用いる
ことを特徴とする請求項１記載の低騒音雨傘。
【請求項３】
前記メッシュ地カバーの中央部付近に小孔を設けたことを特徴とする請求項１又は２記載の低騒音雨傘。
【請求項４】
前記メッシュ地カバーの中央部にリング状中央止め具を、又各つゆ先部に先端止め具をそれぞれ設け、雨傘本体とメッシュ地カバーとを着脱自在となした
ことを特徴とする請求項１〜３のいずれかに記載の低騒音雨傘。
【発明の詳細な説明】
【０００１】
【発明の属する技術分野】
本発明は、雨に当たってもあまり音がしない低騒音雨傘に関するものであり、更に詳しくは、雨傘本体の防水張り布表面に、雨滴の直径以下のメッシュ間隔を有する合成繊維から成る透水性メッシュ地カバーを覆設した低騒音雨傘に係るものである。
【０００２】
【従来の技術】
従来の雨傘は、雨傘用張り布には防水性を維持するために合成樹脂がコーティングされた織物、高うちこみ密度の織物、ビニール等のフィルム材が用いられている。これらの素材は雨水が浸透しないように張り布に開いている孔の大きさを１０μｍ以下にする必要性があり、又傘に作用する風による圧力に抗するために２次元的にち密な構造を有し、防水張り布は一様な膜としての特性を持っている。
【０００３】
【発明が解決しようとする課題】
しかしながら、この一様な防水張り布の膜としての特性のために、傘骨組み間に張られた防水張り布では雨滴の衝突によって加えられた衝撃が防水張り布全体に容易に伝わり、その結果、防水張り布を振動せしめ太鼓を軽くたたいたような可聴音を発生させる。
この雨滴衝撃による可聴音は、防水張り布が使用者の頭部を取り巻いているために無視できない騒音となり、降雨量の増加と共にその頻度を増し、雨滴径が大きくなるほど落下エネルギーの増加により発生音量が増大する。このため降雨が激しくなるほど、雨傘の使用者は周囲の音を聞き取り難くなり、車の接近等の危険を音により察知することが困難となるし、会話で相手の声が聞き取り難くなるなどの問題を生じている。
【０００４】
本発明は、以上の点に鑑み創案されたものであり、雨滴衝突による雨傘本体の防水張り布の衝撃と騒音の発生を低減させることができる低騒音雨傘を提供することを目的とするものである。
【０００５】
【課題を解決するための手段】
上記の目的を達成するために、本発明に係る低騒音雨傘は、雨傘本体の防水張り布表面に、雨滴の直径以下のメッシュ間隔を有する合成繊維から成る透水性メッシュ地カバーを覆設した。
【０００６】
ここで、防水張り布表面に覆設している透水性メッシュ地カバーを構成している繊維の間隔即ち、メッシュ間隔を雨滴の直径以下としているので、飛来した雨滴は必ずメッシュ地カバーを構成している合成繊維に接触して繊維間に拡散しながら浸透吸収される。このとき透水性メッシュ地カバーのメッシュ構造が２次元的に疎であるために雨滴による衝撃は局在化してメッシュ地の振動による騒音発生が著しく低減される。この拡散吸収過程において雨滴の運動成分の一部が防水張り布に衝撃を与えない防水張り布平面の水平方向に変換される。また、雨滴（雨水）が合成繊維間を浸透する過程で繊維と水との間に生じる流動抵抗により、その流動速度を低下させて防水張り布に到達する。これらの結果、雨水が緩やかに防水張り布に到達するため、防水張り布の振動と騒音の発生が著しく低減されるのである。
【０００７】
【発明の実施の形態】
以下、本発明の実施の形態を、図面を参酌しながら説明し、本発明の理解に供する。
【０００８】
図１に、本発明を適用した低騒音雨傘の防水張り布１とナイロン繊維でそのメッシュ間隔が８０μmの透水性メッシュ地カバー２との関係を断面図で示すが、この図１に示すように防水張り布１の表面に雨滴の直径以下のメッシュ間隔を有する合成繊維から成る透水性メッシュ地カバー２が覆設されている。
なお、メッシュ地カバーの素材としては、ナイロンに限定されることなく、水分率が低くて速乾性で水切りが良く、カビや細菌に影響されないものであればよく、例えばポリエステルやアクリル等でもよい。また、メッシュ地カバー２のメッシュ間隔は８０μmに限定されることなく、通常雨滴の直径が１ｍｍを越えると防水張り布に騒音がするので１ｍｍ以下であればよい。
【０００９】
図２は、低騒音雨傘の透水性メッシュ地カバー２の正面図を示しており、雨傘本体の防水張り布１と略同形状に構成された枠材３に、透水性メッシュ地カバー２が取付けられており、巻き取り用止め具４が透水性メッシュ地カバー２の表面に取付けられている。
なお、図２では、透水性メッシュ地カバー２を８角形で図示したが、この透水性メッシュ地カバー２はそれが雨傘本体の防水張り布１と略同形状であればよく、本発明の低騒音雨傘は、防水張り布１の形状に限定はなく、従って透水性メッシュ地カバー２の形状に限定はなく、円形でも６角形でも構わない。
【００１０】
また、透水性メッシュ地カバー２の中央部には、中央部枠材５が配設されており、その中央部枠材５には小孔６，６，…が貫設されており、この透水性メッシュ地カバー２の雨傘本体のつゆ先に対応する部分には、先端止め具７，７，…が設けられている。この先端止め具７は、それが雨傘本体のつゆ先と係留すれば良く、その形状に限定されることはないが、通常リング状又はキャップ状で、雨傘本体のつゆ先に嵌合係留されるものとすることが好ましい。
【００１１】
なお、図２では、中央部枠材５に貫設する小孔６の数を８個としているが、この小孔６は防水張り布１と透水性メッシュ地カバー２との間に溜まる雨水が排出できればよくその数に限定されることはない。
【００１２】
図３は、低騒音雨傘の分解斜視図を示しており、透水性メッシュ地カバー２は、その中央に設けられている石突挿通孔を、雨傘本体の石突に通し、先端止め具７が雨傘本体のつゆ先に係留され、透水性メッシュ地カバー２の表面中央部にはリング状中央止め具８を取付け透水性メッシュ地カバー２が固定されている。このリング状中央止め具８は、透水性メッシュ地カバー２を雨傘本体に固定するための物で、雨傘本体の石突との間の摩擦抵抗あるいはネジ溝により石突に透水性メッシュ地カバー２の上から固定し、透水性メッシュ地カバー２を固定するものである。
また、装着したメッシュ地カバー２が、強風等により防水張り布１から巻き上がることを防止するため、防水張り布１の表面の周縁部とメッシュ地カバー２の裏面の周縁部にそれぞれ、例えば面状ファスナーの如き物から構成される周縁部止め具９を設けることもある。
なお、図３にも示すように、前記リング状中央止め具８にも、小孔を設け、巻き取り後に防水張り布１と透水性メッシュ地カバー２間に溜まる雨水の排水を容易ならしめることもある。
【００１３】
上述の如く、雨傘本体の防水張り布１の表面に透水性メッシュ地カバー２を覆設されているので、飛来した雨滴はまず透水性メッシュ地カバー２の表面に当たる。ここで透水性メッシュ地カバー２のメッシュ間隔が１ｍｍ以下と雨滴の直径以下であるため、透水性メッシュ地カバー２を通り抜ける雨滴（雨水）は、少なくともその一部は必ず透水性メッシュ地カバー２を構成している合成繊維に接触して繊維間に拡散しながら浸透吸収される。従ってその間の繊維と水との間に生じる流動抵抗により、水の運動エネルギーを吸収されて防水張り布１に到達する時には、雨水は緩やかに到達するため防水張り布１の流動と騒音の発生が低減されるものである。
【００１４】
上記の如く、透水性メッシュ地カバー２の中央部に小孔６が貫設されているので、巻き取り後に防水張り布１と透水性メッシュ地カバー２との間に溜まる雨水の排水が小孔６を介して容易に行なえるものである。
即ち、雨傘本体に雨滴が当たった時に、雨滴（雨水）は透水性メッシュ地カバー２は通過し、防水張り布１の表面に溜まる。つまり防水張り布１と透水性メッシュ地カバー２との間に溜まる訳だが、防水張り布１と透水性メッシュ地カバー２を巻き取り後、透水性メッシュ地カバー２の中央部の小孔６を下向きにすることで、防水張り布１と透水性メッシュ地カバー２との間に溜まった雨水は、小孔６から外部ヘ容易に排出されることとなるのである。
【００１５】
上記の如く、透水性メッシュ地カバー２を、リング状中央止め具８と先端止め具７により雨傘本体と着脱自在な構成となすことにより、透水性メッシュ地カバー２を雨傘本体から取り外して、透水性メッシュ地カバー２のみを水切り乾燥したり洗浄したりすることができるようになる。
【００１６】
【発明の効果】
本発明は、以上説明したように構成されているので、以下に記載するような効果を奏する。
【００１７】
雨傘本体の防水張り布表面に、雨滴の直径以下のメッシュ間隔を有する合成繊維から成る透水性メッシュ地カバーを覆設したことにより、雨滴が飛来しても透水性メッシュ地カバーを構成する合成繊維に接触して繊維間に拡散しながら浸透吸収されるために、防水張り布には雨水が緩やかに到達し、防水張り布の振動と騒音の発生を著しく低減し、降雨時の雨傘使用者により周囲の音を聞き取り易い環境を提供できるものである。
【図面の簡単な説明】
【図１】本発明に係る低騒音雨傘の防水張り布と透水性メッシュ地カバーとの関係を示す断面図である。
【図２】本発明に係る低騒音雨傘の透水性メッシュ地カバーの正面図である。
【図３】本発明に係る低騒音雨傘の分解斜視図である。
【符号の説明】
１  防水張り布
２  透水性メッシュ地カバー
３  枠材
４  巻き取り用止め具
５  中央部枠材
６  小孔
７  先端止め具
８  リング状中央止め具
９  周縁部止め具
【図１】
0003971612.tif 000002
【図２】
0003971612.tif 000003
【図３】
0003971612.tif 000004